(57)【要約】      （修正有）【課題】 放電開始電圧および放電維持電圧を低下させて、輝度および効率を増加させたロング・カラム構造のプラズマ・ディスプレイ・パネルを提供する。【解決手段】 互いに対向した前面基板と後面基板とを備え、前面基板の対向面上に互いに平行に離隔されて形成され、透明電極と金属電極とでなるスキャン電極およびサステイン電極と、スキャン電極およびサステイン電極を覆う誘電層と、誘電層上に塗布された保護膜と、後面基板の対向面上に形成されたアドレス電極と、アドレス電極を覆う誘電層と、誘電層上に形成された隔壁と、隔壁で区切られた放電セルと、放電セル内に塗布された蛍光体層とを含み、スキャン電極とサステイン電極との間の間隔が、前面基板と後面基板との間の間隔より大きいロング・カラム構造のプラズマ・ディスプレイ・パネルにおいて、スキャン電極またはサステイン電極の透明電極は、放電セル毎に放電セルの中心に向けて突き出された突出部を含む。【選択図】  図５
2005079105.tif 000002
【特許請求の範囲】
【請求項１】
互いに対向した前面基板と後面基板とを備え、前記前面基板の対向面上に互いに平行に離隔されて形成され、透明電極と金属電極とでなるスキャン電極およびサステイン電極と、前記スキャン電極およびサステイン電極を覆う誘電層と、前記誘電層上に塗布された保護膜と、前記後面基板の対向面上に形成されたアドレス電極と、前記アドレス電極を覆う誘電層と、前記誘電層上に形成された隔壁と、前記隔壁で区切られた放電セルと、前記放電セル内に塗布された蛍光体層とを含み、前記スキャン電極と前記サステイン電極との間の間隔が、前記前面基板と前記後面基板との間の間隔より大きいロング・カラム構造のプラズマ・ディスプレイ・パネルにおいて、
前記スキャン電極または前記サステイン電極の透明電極は、前記放電セル毎に前記放電セルの中心に向けて突き出された突出部を含むことを特徴とするプラズマ・ディスプレイ・パネル。
【請求項２】
前記突出部は、正方形、長方形、三角形などの様々な形態に形成されることを特徴とする請求項１に記載のプラズマ・ディスプレイ・パネル。
【請求項３】
前記スキャン電極の透明電極の突出部と、前記サステイン電極の透明電極の突出部の形態が互いに異なることを特徴とする請求項１に記載のプラズマ・ディスプレイ・パネル。
【請求項４】
前記スキャン電極の透明電極の突出部と、前記サステイン電極の透明電極の突出部の大きさが互いに異なることを特徴とする請求項１に記載のプラズマ・ディスプレイ・パネル。
【請求項５】
前記放電セル毎に前記突出部が複数個形成されることを特徴とする請求項１に記載のプラズマ・ディスプレイ・パネル。
【請求項６】
前記透明電極は前記放電セル毎に分離されて形成されることを特徴とする請求項１に記載のプラズマ・ディスプレイ・パネル。
【請求項７】
互いに対向した前面基板と後面基板とを備え、前記前面基板の対向面上に互いに平行に離隔されて形成され、透明電極と金属電極とでなるスキャン電極およびサステイン電極と、前記スキャン電極およびサステイン電極を覆う誘電層と、前記誘電層上に塗布された保護膜と、前記後面基板の対向面上に形成されたアドレス電極と、前記アドレス電極を覆う誘電層と、前記誘電層上に形成された隔壁と、前記隔壁で区切られた放電セルと、前記放電セル内に塗布された蛍光体層を含み、前記スキャン電極と前記サステイン電極との間の間隔が、前記前面基板と前記後面基板との間の間隔より大きいロング・カラム構造のプラズマ・ディスプレイ・パネルにおいて、
前記スキャン電極または前記サステイン電極の透明電極は、前記放電セルのうちの少なくともいずれか一つ以上において前記放電セルの中心に向けて突き出された突出部を含み、
前記突出部は、その大きさがＲｅｄセル、Ｇｒｅｅｎセル、Ｂｌｕｅセル毎に異なることを特徴とするプラズマ・ディスプレイ・パネル。
【請求項８】
前記突出部は、正方形、長方形、三角形などの様々な形態に形成されることを特徴とする請求項７に記載のプラズマ・ディスプレイ・パネル。
【請求項９】
前記スキャン電極の透明電極の突出部と、前記サステイン電極の透明電極の突出部の形態が互いに異なることを特徴とする請求項７に記載のプラズマ・ディスプレイ・パネル。
【請求項１０】
前記スキャン電極の透明電極の突出部と、前記サステイン電極の透明電極の突出部の大きさが互いに異なることを特徴とする請求項７に記載のプラズマ・ディスプレイ・パネル。
【請求項１１】
前記放電セル毎に前記突出部が複数個形成されることを特徴とする請求項７に記載のプラズマ・ディスプレイ・パネル。
【請求項１２】
前記透明電極は前記放電セル毎に分離されて形成されることを特徴とする請求項７に記載のプラズマ・ディスプレイ・パネル。
【請求項１３】
互いに対向した前面基板と後面基板とを備え、前記前面基板の対向面上に互いに平行に離隔されて形成され、透明電極と金属電極とでなるスキャン電極およびサステイン電極と、前記スキャン電極およびサステイン電極とを覆う誘電層と、前記誘電層上に塗布された保護膜と、前記後面基板の対向面上に形成されたアドレス電極と、前記アドレス電極を覆う誘電層と、前記誘電層上に形成された隔壁と、前記隔壁で区切られた放電セルと、前記放電セル内に塗布された蛍光体層とを含み、前記スキャン電極と前記サステイン電極との間の間隔が、前記前面基板と前記後面基板との間の間隔より大きいロング・カラム構造のプラズマ・ディスプレイ・パネルにおいて、
前記前面基板には、前記スキャン電極と前記サステイン電極との間に浮動（floating）透明電極が形成されることを特徴とするプラズマ・ディスプレイ・パネル。
【請求項１４】
前記浮動透明電極は、前記放電セル毎に２つずつが一対になって形成され、
前記一対の浮動透明電極は、前記放電セルの中心に対して対称的に配置され、前記一対の浮動透明電極の間の距離が浮動透明電極とスキャン電極、またはサステイン電極との距離より大きいことを特徴とする請求項１３に記載のプラズマ・ディスプレイ・パネル。
【請求項１５】
前記一対の浮動透明電極が前記放電セル毎に２つ以上形成されることを特徴とする請求項１４に記載のプラズマ・ディスプレイ・パネル。
【発明の詳細な説明】
【技術分野】
【０００１】
本発明は、プラズマ・ディスプレイ・パネルに係り、より詳細には、輝度および効率を向上させることができるプラズマ・ディスプレイ・パネルの電極構造に関する。
【背景技術】
【０００２】
一般に、プラズマ・ディスプレイ・パネル（Plasma Display Panel：以下、「ＰＤＰ」という。）は、ソーダ石灰ガラス（Soda-lime glass）などでなる前面ガラスと背面ガラスとの間に形成された隔壁が一つの単位セルを成し、各セル内にはネオン（Ne）、ヘリウム（He）またはネオンとヘリウムとの混合気体（Ne＋He）を主放電気体にて使用し、少量のキセノン（Xe）を添加した不活性ガスが高周波電圧によって放電される際に、真空紫外線（Vacuum Ultraviolet rays）が発生して隔壁の間に形成された蛍光体を発光させて画像を具現する装置である。
【０００３】
このようなＰＤＰは、従来、表示手段の主役を演じてきた陰極線管（ＣＲＴ）に比べ、長さ０.１ｍｍ〜１ｍｍ程度の微小空間に不活性ガスのプラズマ放電を利用した画像表示装置であって、単純な構造であるので製作し易く、外形が薄型で、低い消費電力などで大型画面を具現できるという特徴を有しており、次世代ディスプレイ装置として、現在、脚光を浴びている。
【０００４】
現在、一般に使用されるＰＤＰの場合、電力対比発光効率が１〜１.５ｌｍ／Ｗの効率を示している。その反面、一部のテスト用サンプルＰＤＰの場合は、これより高い２.０〜３．０ｌｍ／Ｗ程度の電力対比発光効率を示してある。テスト用サンプルでの発光効率が、一般に使用されるＰＤＰの発光効率より高い理由は、構造的な改善によるものではなく、放電空間に注入されたガス内のＸｅの量を平均量より１４％程度多めに添加したことによる結果である。
【０００５】
前述のように添加されるＸｅの量を増加させる場合、電力対比発光効率を増加させることはできるが、前面パネル電極の摩耗を増加させ、放電を維持するためのサステイン電圧を上昇させるという否定的な結果をもたらしてしまう。また、パネルの駆動においても、Ｘｅ量の増加による電子の冷却効果が増加するようになり、放電の開始が遅延するというタイムディレイ（Time Delay）現象が発生する。
【０００６】
図１は、従来のロング・カラム（Long coluｍn）構造のプラズマ・ディスプレイ・パネルの前面基板の電極構造を示す図である。図１に示すように、従来のロング・カラム構造のＰＤＰの前面基板は、隔壁３００で区切られた放電セルと、透明電極２００と金属電極１００とでなるスキャン電極２１０およびサステイン電極２２０とを含み、図１の符号１０は、透明電極２００の間の距離を示し、４００は放電が発生することを概略的に描いた図である。
【０００７】
ロング・カラム構造のＰＤＰは、ネガティブ・グロー（Negative Glow）領域でのガス放電によって蛍光体を励起して光を発散し、高いＸｅの励起特性を有したポジティブ・カラム（Positive Column）領域を活用して放電を行う。
一般に、透明電極２００の間の間隔１０が３００μｍである放電区間を有する場合、透明電極の間にポジティブ・カラム領域が存在するようになる。
【０００８】
ネガティブ・グロー領域での電力対比発光効率が１〜２ｌｍ／Ｗであることに対し、ポジティブ・カラム領域を活用した放電の電力対比発光効率は７ｌｍ／Ｗ以上の高い効率を示す。よって、かかるポジティブ・カラム領域の拡大のために透明電極２００の間の間隔１０を３００μｍ以上にする。
図２、図３、および図４は、ロング・カラム構造のプラズマ・ディスプレイ・パネルの放電開始および放電維持の原理を示す図である。
【０００９】
図２に示すように、プラズマ・ディスプレイ・パネルは、互いに対向した前面基板１と後面基板２とを備え、前記前面基板１の対向面上に互いに平行に離隔されて形成され、透明電極２００と金属電極１００とでなるスキャン電極２１０およびサステイン電極２２０と、前記スキャン電極２１０およびサステイン電極２２０を覆う誘電層３と、前記誘電層３上に塗布された保護膜（図示せず）と、前記後面基板２の対向面上に形成されたアドレス電極４と、前記アドレス電極４を覆う誘電層５と、前記誘電層５上に形成された隔壁３００（図１参照）と、前記隔壁３００で区切られた放電セルと、前記放電セル内に塗布された蛍光体層とを含み、前記スキャン電極２１０と前記サステイン電極２２０との間の間隔１０が、前記前面基板１と前記後面基板２との間の間隔２０より大きいロング・カラム構造のプラズマ・ディスプレイ・パネルである。但し、前記前面基板１と前記後面基板２との間の間隔２０は、前面基板１上のスキャン電極２１０、サステイン電極２２０、誘電体層３及び保護膜を含む上板と、後面基板２上のアドレス電極４、誘電体層５及び蛍光体層を含む下板との間の間隔を意味する。
【００１０】
図２に示すように、ＰＤＰの駆動時に、電極に印可されたリセット波形によってスキャン電極２１０に負電荷が溜まり、アドレス電極２３０には正電荷が溜まるようになる。以降、スキャン電極２１０に負の電圧を印可すれば、上板の透明電極２００の間の間隔１０が上板と下板と間の間隔２０に比べて大きいので、上板のスキャン電極２１０と下板のアドレス電極２３０との間に弱い放電６００が発生するようになる。
【００１１】
図３に示すように、スキャン電極２１０とサステイン電極２２０との間の電位差によって電子がサステイン電極２２０に拡散し、ポジティブ・カラム領域７００が形成される。又、図４に示したように、初期放電によって形成されたネガティブ・グロー７１０の放電領域は、上板のスキャン電極２１０と下板のアドレス電極２３０との間に留まっていて、ポジティブ・カラム７００領域が極大化されてサステイン電極２２０にまで拡大され、図４の８００のようなポジティブカラム領域が生じる。
【００１２】
ところで、上述したロング・カラム構造のプラズマ・ディスプレイ・パネルの場合、発光効率を増加させ得る反面、パネルの透明電極間の距離が３００μm以上に離隔するようになり、放電空間の放電を維持するための電圧が増加し、尚、放電開始電圧が増加するという問題点が発生する。
また、一般的なＰＤＰは、ＲＧＢ蛍光体の輝度特性が相異であり、同じ色温度を維持するためにＲＧＢセルに印可される電圧の大きさを相異にすることができる。この場合、他の電圧値によって各セルに蓄積される電荷量が均一でないためＲＧＢセルに誤放電を引き起こし、全体として、駆動効率が低下するという問題点を誘発する。
【発明の開示】
【発明が解決しようとする課題】
【００１３】
本発明の目的は、放電開始電圧および放電維持電圧を低下させて、輝度および効率を増加させたロング・カラム構造のプラズマ・ディスプレイ・パネルを提供することにある。
本発明の他の目的は、ＲＧＢセル毎の色温度の均衡を維持し、各セルの誤放電を減らしたロング・カラム構造のプラズマ・ディスプレイ・パネルを提供することにある。
【課題を解決するための手段】
【００１４】
本発明の第１実施形態によるプラズマ・ディスプレイ・パネルは、互いに対向した前面基板と後面基板とを備え、前記前面基板の対向面上に互いに平行に離隔されて形成され、透明電極と金属電極とでなるスキャン電極およびサステイン電極と、前記スキャン電極およびサステイン電極を覆う誘電層と、前記誘電層上に塗布された保護膜と、前記後面基板の対向面上に形成されたアドレス電極と、前記アドレス電極を覆う誘電層と、前記誘電層上に形成された隔壁と、前記隔壁で区切られた放電セルと、前記放電セル内に塗布された蛍光体層とを含み、前記スキャン電極と前記サステイン電極との間の間隔が、前記前面基板と前記後面基板との間の間隔より大きいロング・カラム構造のプラズマ・ディスプレイ・パネルにおいて、前記スキャン電極または前記サステイン電極の透明電極は、前記放電セル毎に前記放電セルの中心に向けて突き出された突出部を含むことを特徴とする。
【００１５】
また、前記突出部は、正方形、長方形、三角形などの様々な形態に形成されることを特徴とする。
また、前記スキャン電極の透明電極の突出部と、前記サステイン電極の透明電極の突出部との形態が互いに異なっていることを特徴とする。
また、前記スキャン電極の透明電極の突出部と、前記サステイン電極の透明電極の突出部との大きさが互いに異なっていることを特徴とする。
【００１６】
また、前記突出部が前記放電セル毎に複数個形成されることを特徴とする。
また、前記透明電極は前記放電セル毎に分離されて形成されることを特徴とする。
本発明の第２実施形態によるプラズマ・ディスプレイ・パネルは、互いに対向した前面基板と後面基板とを備え、前記前面基板の対向面上に互いに平行に離隔されて形成され、透明電極と金属電極とでなるスキャン電極およびサステイン電極と、前記スキャン電極およびサステイン電極を覆う誘電層と、前記誘電層上に塗布された保護膜と、前記後面基板の対向面上に形成されたアドレス電極と、前記アドレス電極を覆う誘電層と、前記誘電層上に形成された隔壁と、前記隔壁で区切られた放電セルと、前記放電セル内に塗布された蛍光体層とを含み、前記スキャン電極と前記サステイン電極との間の間隔が前記前面基板と前記後面基板との間の間隔より大きいロング・カラム構造のプラズマ・ディスプレイ・パネルにおいて、前記スキャン電極または前記サステイン電極の透明電極は、前記放電セルのうちの少なくともいずれか一つ以上において前記放電セルの中心に向けて突き出された突出部を含み、前記突出部はその大きさがレッドセル（Red Cell）、グリーンセル（Green Cell）、ブルーセル（Blue Cell）毎に異なっていることを特徴とする。
【００１７】
また、前記突出部は、正方形、長方形、三角形などの様々な形態に形成されることを特徴とする。
また、前記スキャン電極の透明電極の突出部と、前記サステイン電極の透明電極の突出部との形態が互いに異なっていることを特徴とする。
また、前記スキャン電極の透明電極の突出部と、前記サステイン電極の透明電極の突出部との大きさが互いに異なっていることを特徴とする。
【００１８】
また、前記突出部が前記放電セル毎に複数個形成されることを特徴とする。
また、前記透明電極は前記放電セル毎に分離されて形成されることを特徴とする。
本発明の第３実施形態によるプラズマ・ディスプレイ・パネルは、互いに対向した前面基板と後面基板とを備え、前記前面基板の対向面上に互いに平行に離隔されて形成され、透明電極と金属電極とでなるスキャン電極およびサステイン電極と、前記スキャン電極およびサステイン電極を覆う誘電層と、前記誘電層上に塗布された保護膜と、前記後面基板の対向面上に形成されたアドレス電極と、前記アドレス電極を覆う誘電層と、前記誘電層上に形成された隔壁と、前記隔壁で区切られた放電セルと、前記放電セル内に塗布された蛍光体層とを含み、前記スキャン電極と前記サステイン電極との間の間隔が、前記前面基板と前記後面基板との間の間隔より大きいロング・カラム構造のプラズマ・ディスプレイ・パネルにおいて、前記前面基板には前記スキャン電極と前記サステイン電極との間に浮動（floating）透明電極が形成されることを特徴とする。
【００１９】
また、前記金属電極は、前記浮動透明電極は前記放電セル毎に２つずつが一対になって形成され、前記前記一対の浮動透明電極は前記放電セルの中心に対して対称に配置され、前記一対の浮動透明電極の間の距離が浮動透明電極とスキャン電極またはサステイン電極との距離より大きいことを特徴とする。
また、前記一対の浮動透明電極が前記放電セル毎に２つ以上形成されることを特徴とする。
【発明の効果】
【００２０】
本発明によれば、ロング・カラム構造のプラズマ・ディスプレイ・パネルにおいて、放電開始電圧および放電維持電圧を低下させ、輝度および効率を増加させることができる。また、ＲＧＢセル毎の色温度の均衡を維持し、各セルの誤放電を減らすことができる。
【発明を実施するための最良の形態】
【００２１】
以下、添付図面を参照して本発明の好適な実施形態を詳細に説明する。
＜第１実施形態＞
図５は、本発明の第１実施形態によるプラズマ・ディスプレイ・パネルの電極構造を示す平面図である。本実施形態によるプラズマ・ディスプレイ・パネルの電極構造は、図２に示す構造と同様に、図２に示すように、互いに対向した前面基板１と後面基板２とを備え、前面基板１の対向面上に互いに平行に離隔されて形成され、透明電極２００と金属電極１００とでなるスキャン電極２１０およびサステイン電極２２０と、スキャン電極２１０およびサステイン電極２２０を覆う誘電層３と、誘電層３上に塗布された保護膜と、後面基板２の対向面上に形成されたアドレス電極４と、アドレス電極４を覆う誘電層５と、誘電層５上に形成された隔壁３００（図１参照）と、隔壁３００で区切られた放電セルと、放電セル内に塗布された蛍光体層とを含み、スキャン電極２１０とサステイン電極２２０との間の間隔１０が、前面基板１と後面基板２との間の間隔２０より大きいロング・カラム構造のプラズマ・ディスプレイ・パネルである。但し、前面基板１と後面基板２との間の間隔２０は、前面基板１上のスキャン電極２１０、サステイン電極２２０、誘電体層３及び保護膜を含む上板と、後面基板２上のアドレス電極４、誘電体層５及び蛍光体層を含む下板との間の間隔を意味する。
【００２２】
図５に示すように、本発明の第１実施形態によるプラズマ・ディスプレイ・パネルは、ロング・カラム構造であって、透明電極２００の間の距離１０が３００μｍ以上に維持された状態で、透明電極２００が放電セルの中心に向けて突き出された突出部５００を含んでいる。該突出部５００が存在することにより、透明電極２００間の距離１０が遠くて放電電圧が上昇するという問題点を解決することができる。従って、ロング・カラム構造によって輝度を増加させながら放電電圧の増加を防止し、駆動効率を高めることができる。
【００２３】
図５では、スキャン電極とサステイン電極との両方に突出部が形成されているが、スキャン電極にのみ、または、サステイン電極にのみ突出部を形成することもでき、これにより、所望の輝度および駆動効率を得ることができる。
図６は、従来のロング・カラム構造と、本発明の第１実施形態によるロング・カラム構造との光出力分布を比較した図である。図６に示された改善の構造での突出部５００の大きさは、幅（透明電極２００に沿った長さ）５０μｍ、長さ（透明電極２００から突出する長さ）６０μｍである。
【００２４】
図６に示すように、既存の構造では、透明電極２００の間に３００μｍ以上の距離があったので２つの電極の間の放電空間が広いことが分かり、改善の構造では突出部５００が存在することにより、放電空間が狭くなっていることが分かる。従って、透明電極間の距離が狭くなって放電を開始したり、放電を維持したりする場合、電圧を低下させることができる。
【００２５】
図７は、図６の結果を元に、様々な放電特性を比べた表である。図７において、電極構造の括弧の中の数値は、突き出された電極の大きさ（μｍ×μｍ）を表したものである。既存の構造は、透明電極に突出部のないロング・カラム構造のプラズマ・ディスプレイ・パネルを意味し、改善の構造は、透明電極に突出部があるロング・カラム構造のプラズマ・ディスプレイ・パネルを意味する。
【００２６】
図７に示すように、突出部を含まない既存の構造の場合は、放電開始電圧が３７３.２Ｖ、輝度は３５３３.４ｃｄ／ｍ２である。長さが８０μｍで幅が６０μｍである突出部を含む改善の構造の場合、放電開始電圧は３１２.９Ｖ、輝度は４０１４.１ｃｄ／ｍ２である。長さが４０μｍで幅が６０μｍである突出部を含む改善の構造の場合、放電開始電圧は３４４.０Ｖ、輝度は３８７５.５ｃｄ／ｍ２である。
【００２７】
本発明の第１実施形態の変形例として、突出部の形態は、正方形、長方形、三角形などの様々な形態に形成され得る。従って、突出部５００の形態は、様々な形態に変形可能であるので、プラズマ・ディスプレイ・パネルの製作者が所望する輝度を示すのに適宜な形態の突出部５００でパネルを製作することができ、突出部５００を備えることにより、駆動電圧を低下させる効果をも得ることができる。
【００２８】
また、本発明の第１実施形態の変形例として、スキャン電極の透明電極の突出部とサステイン電極の透明電極の突出部との形態または大きさを互いに異なるようにすることができる。従って、所望の輝度を得るための様々な形態の突出部を各電極毎に具現することができる。
また、本発明の第１実施形態の変形例として、突出部が複数個形成されることも可能であり、これにより、上述した効果を得ることができる。
【００２９】
図８は、本発明の第１実施形態の変形例によるプラズマ・ディスプレイ・パネルの平面図である。図８に示すように、透明電極２００を各放電セル毎に分離して形成することができる。これにより、各セル毎に高い輝度の発生が可能で、放電開始電圧と放電維持電圧とを更に低下させながら所望の輝度を維持することが可能である。
＜第２実施形態＞
図９は、本発明の第２実施形態によるプラズマ・ディスプレイ・パネルの電極構造を示す平面図である。
【００３０】
図９に示すように、本発明の第２実施形態によるプラズマ・ディスプレイ・パネルは、ロング・カラム構造であって、透明電極２００間距離１０が３００μｍ以上に維持された状態でレッドセル３０、グリーンセル４０、ブルーセル５０の透明電極２００が放電空間に向けて突き出された突出部５００を含んでいる。また、前記突出部５００はその形態がレッドセル３０、グリーンセル４０、ブルーセル５０毎に異なっている。
【００３１】
従って、前記突出部５００が透明電極２００に含まれているので、言い換えれば突起部５００によって透明電極２００間の距離が小さくなるので、透明電極２００間距離１０が３００μｍ以上離れて放電電圧が上昇するという問題を解決することができる。また、各レッドセル３０、グリーンセル４０、ブルーセル５０毎に異なっている形態の突出部５００を具備できるので、プラズマ・ディスプレイ・パネルの製作者が所望する放電特性および効率を得るのに最適な形態で各レッドセル３０、グリーンセル４０、ブルーセル５０の透明電極２００突出部５００を多様に構成することができる。
【００３２】
図１０は、本発明の第２実施形態によるプラズマ・ディスプレイ・パネルの電極構造の他の平面図である。図１０に示すように、突出部がＲＧＢ放電セルのうちの特定の放電セルにのみ形成されていても良く、図１０の場合は、レッドセル３０には突出部５００が形成されていないで、グリーンセル４０、ブルーセル５０にのみ突出部５００が形成されている。また、グリーンセル４０およびブルーセル５０の突出部５００も、その長さに差がある。
【００３３】
従って、プラズマ・ディスプレイ・パネルの製作者が、所望の放電特性および駆動効率を有するパネルを製作するために、各セルの透明電極２００構造に様々な変化を与えることができる。
図１１は、本発明の第２実施形態によるプラズマ・ディスプレイ・パネルの電極構造の他の平面図である。図１１に示すように、グリーンセル４０の突出部５００の長さが最も長く、ブルーセル５０の突出部５００の長さはグリーンセル４０より小さく、レッドセル３０は突出部５００を含んでいない。これは、グリーンセル４０の発光輝度を高めるためにロング・カラム構造のプラズマ・ディスプレイ・パネルにおいてグリーンセル４０の放電電圧を高める場合に発生する誤放電を予防し、色温度を均一にするための構造である。
【００３４】
この場合、グリーンセル４０の発光のための放電電圧が、レッドセル３０およびブルーセル５０に比べて高くなることがあるので、グリーンセル４０の突出部５００の長さを最も長くし、放電電圧を低めることで、全体としての放電電圧を一定に維持することができる。このように、各セル毎に一定の放電電圧を印可することにより、駆動の際、誤放電を減らして駆動効率を高めることができる。また、各セル毎に一定の放電電圧を印可してもグリーンセル４０の長い突出部５００によって発光輝度の上昇効果を得ることができるので、全体としてのパネルの輝度上昇の効果を得ることができる。
【００３５】
従って、各レッドセル３０、グリーンセル４０、ブルーセル５０毎に異なった形態の突出部５００を具備できるので、突出部の形態を利用して各セルの色温度の均衡を一定に調節することもできる。また、誤放電の可能性を最小化し、プラズマ・ディスプレイ・パネルの駆動効率をも高めることができる。
また、本発明の第２実施形態の変形例として、スキャン電極の透明電極の突出部とサステイン電極の透明電極の突出部との形態または大きさを互いに異なるようにしても良い。従って、所望の輝度を得るための様々な形態の突出部を各電極毎に具現することができる。
【００３６】
また、本発明の第２実施形態の変形例として、突出部が複数個形成されていても良く、これにより、上述した効果を得ることができる。
また、本発明の第２実施形態の変形例として、透明電極２００を各放電セル毎に分離させて形成することができる。これにより、各セル毎に高輝度の発生が可能であり、放電開始電圧と放電維持電圧とを更に低下させながら所望の輝度を維持させることが可能である。
【００３７】
＜第３実施形態＞
図１２は、本発明の第３実施形態によるプラズマ・ディスプレイ・パネルの電極構造を示す平面図である。図１２に示すように、上板ガラス基板３１上に充分な距離ｄを置いて離隔されて形成された透明電極３２の間に電気的に独立した複数の浮動電極３４を透明なＩＴＯを利用して対にて形成したものである。透明電極で浮動電極３４を形成するので輝度の減少はなく、別途の電極と繋がっていない浮動電極であるので構成において非常に簡単である。上記距離ｄは、プラズマディスプレイパネルを構成する上板と下板との間の距離である。透明電極３４は、スキャン電極、サステイン電極、アドレス電極等から電気的に独立した浮動電極である。
【００３８】
前記形成された複数の透明電極３２および複数のバス電極３３は、それぞれスキャン電極およびサステイン電極であり、本実施形態は対称的な形態で構成されるので、その位置は互いに変わっていても良い。図示された実施形態において新たに追加された各透明浮動電極３４は、それぞれの透明電極３２に隣接するように離隔されて配置され、各透明電極３２との間隔ｄ１、d３は等しくなるように構成する。しかし、前記各透明浮動電極３４の間の距離ｄ２は、各透明電極３２と透明浮動電極３４との間の距離ｄ１、d３より長いことが好ましい。すなわち、ｄ１＝ｄ３で、ｄ２＞ｄ１＝ｄ３の関係を維持することが最も効率が高い。
【００３９】
前記複数の透明浮動電極３４は、リセットおよびアドレス期間の間に各透明電極３２および下板アドレス電極（図示せず）に電荷が蓄積されるとき、同時に、電荷が蓄積されるようになる。以降、サステイン段階においてスキャン電極とアドレス電極との間に発生する弱い放電が拡散する場合、前記各浮動透明電極３４に蓄積された電荷が電子の拡散に役立つので、より低い放電電圧を使用でき、輝度および効率も同時に改善されるという効果をもたらすようになる。
【００４０】
図１３は、前記図１２に示した本発明の第３実施形態と、透明浮動電極を形成していない従来の構造に対する光出力分布をシミュレーションした図であり、第３実施形態と従来の構造とは共に各透明電極の間の距離は３６０μｍであり、第３実施形態において透明浮動電極の大きさはそれぞれ横７０μｍ×縦８０μｍにて形成した。ここで、横は、透明電極に平行な方向であり、縦は透明電極に垂直な方向である。また、前記各透明浮動電極の間の距離は７０μｍになるように配置した。
【００４１】
図１３に示すように、本発明の第３実施形態の場合、光出力が最も強い領域が中心部に広く位置することが分かり、光出力が最も強い領域の大きさが、従来のロングカラム（ＬＣ）構造に比べて広くなっているということを通じ、輝度および効率が増加したことが分かる。
更に、これを数値的に比べるために、次の表を参照することにする。改善された本発明の構造において、大きさは（横μｍ×縦μｍ）として表した。
【００４２】
【表１】
2005079105.tif 000003
【００４３】
表１を通じて分かるように、本発明の第３実施形態と同様に、透明浮動電極を２つ挿入した構造が既存の構造に比べ、輝度および効率特性において改善されたことが分かる。適用される透明浮動電極の面積は、適用される構造によって適宜に設定することで、より高い効率を得ることができるということも分かる。また、如何なる大きさの構造を利用するとしても透明電極の間に透明浮動電極を形成すれば、輝度および効率が向上するということが容易に理解できるであろう。
【００４４】
図１４および図１５は、本発明の変形の実施形態を示す図であり、図１４は前記図１２に示された構造において各透明浮動電極３４を分離して透明電極３２に沿った方向に並べて配置した形態であって、隣接した各透明電極３２との距離は等しくなるように構成する。すなわち、前記各透明浮動電極３４は一つ以上の透明浮動電極が前記透明電極と同じ距離で離隔されて並べられても良く、前記各透明電極３２の間の中間点を基準に対称的に配置されることが好ましい。すなわち、この場合も同様に、各透明浮動電極３４と隣接した各透明電極３２の間の距離が等しい距離になるようにし、これをｄ１とし、対称する各透明浮動電極３４の間の距離をｄ２としたとき、ｄ２＞ｄ１になるように配置する。
【００４５】
図１５は、整列なしに前記透明浮動電極３４を形成するためのものであり、素子の上板全体に対し、バスで形成された透明電極３２の間において各透明電極３２と等しい隔離距離を有しながら隣接するように上板全体に対して各透明浮動電極３４を均一に配置したものである。このような構造を通じ、本発明は一層容易に適用され得るようになる。
上述したように、別途の電極や複雑な構造的変更なしに、電極と繋がっていない複数の透明浮動電極を一つのセルにおいて対称されるように透明電極に隣接配置することだけで、高い放電電圧を低下させることができ、輝度および効率を向上させ得るようになる。
【図面の簡単な説明】
【００４６】
【図１】従来のロング・カラム構造プラズマ・ディスプレイ・パネルの前面基板の電極構造を示す図である。
【図２】ロング・カラム構造プラズマ・ディスプレイ・パネルの放電開始および放電維持の原理を示す図である。
【図３】ロング・カラム構造プラズマ・ディスプレイ・パネルの放電開始および放電維持の原理を示す図である。
【図４】ロング・カラム構造プラズマ・ディスプレイ・パネルの放電開始および放電維持の原理を示す図である。
【図５】本発明の第１実施形態によるプラズマ・ディスプレイ・パネルの電極構造を示す平面図である。
【図６】従来のロング・カラム構造と、本発明の第１実施形態によるロング・カラム構造との光出力分布を比べた図である。
【図７】図６の結果を元にして様々な放電特性を比べた表である。
【図８】本発明の第１実施形態の変形例によるプラズマ・ディスプレイ・パネルの平面図である。
【図９】本発明の第２実施形態によるプラズマ・ディスプレイ・パネルの電極構造を示す平面図である。
【図１０】本発明の第２実施形態によるプラズマ・ディスプレイ・パネルの電極構造を示す他の平面図である。
【図１１】本発明の第２実施形態によるプラズマ・ディスプレイ・パネルの電極構造を示す他の平面図である。
【図１２】本発明の第３実施形態によるプラズマ・ディスプレイ・パネルの電極構造を示す平面図である。
【図１３】前記図１２に示した本発明の第３実施形態と、透明浮動電極を形成していない従来構造に対する光出力分布のシミュレーション図である。
【図１４】本発明の第３実施形態の変形例によるプラズマ・ディスプレイ・パネルの平面図である。
【図１５】本発明の第３実施形態の変形例によるプラズマ・ディスプレイ・パネルの平面図である。
【符号の説明】
【００４７】
１００ 金属電極
２００ 透明電極
２１０ スキャン電極
２２０ サステイン電極
３００ 隔壁
４００ 放電
６００ 弱い放電
７００ ポジティブ・カラム領域
７１０ ネガティブ・グロー 放電領域
８００ ポジティブ・カラム領域
【図１】
2005079105.tif 000004
【図２】
2005079105.tif 000005
【図３】
2005079105.tif 000006
【図４】
2005079105.tif 000007
【図５】
2005079105.tif 000008
【図６】
2005079105.tif 000009
【図７】
2005079105.tif 000010
【図８】
2005079105.tif 000011
【図９】
2005079105.tif 000012
【図１０】
2005079105.tif 000013
【図１１】
2005079105.tif 000014
【図１２】
2005079105.tif 000015
【図１３】
2005079105.tif 000016
【図１４】
2005079105.tif 000017
【図１５】
2005079105.tif 000018